(57)【要約】      （修正有）【課題】イヤハンガー付きインイヤ型イヤホンが提供される。【解決手段】インイヤ型イヤホンは、ホルダー、イヤホン本体、およびイヤハンガーを含んでいる。ホルダーはスライド溝を備えたガイド部分を有し、イヤホン本体はスライド溝に摺動自在に組み付けられ、イヤハンガーはホルダーに接続されている。【選択図】図２
2007135175.tif 000002
【特許請求の範囲】
【請求項１】
イヤハンガー付きインイヤ型イヤホンであって、
スライド溝を備えたガイド部分を有するホルダーと、
前記スライド溝に摺動自在に組み付けられたイヤホン本体と、
前記ホルダーに接続されたイヤハンガーとを備えることを特徴とするイヤハンガー付きインイヤ型イヤホン。
【請求項２】
前記ホルダーはピボット部分をさらに備え、前記イヤハンガーが前記ホルダーの前記ピボット部分に枢着していることを特徴とする請求項１記載のイヤハンガー付きインイヤ型イヤホン。
【請求項３】
前記イヤハンガーは、前記ピボット部分の軸に沿って摺動するのに適していることを特徴とする請求項２記載のイヤハンガー付きインイヤ型イヤホン。
【請求項４】
前記イヤハンガーは前記ホルダーに摺動自在に連結されていることを特徴とする請求項１記載のイヤハンガー付きインイヤ型イヤホン。
【請求項５】
前記イヤホン本体の音声出力側を覆うイヤパッドをさらに備えていることを特徴とする請求項１記載のイヤハンガー付きインイヤ型イヤホン。
【請求項６】
前記イヤホン本体が、前記スライド溝に摺動自在に組み付けられたケースと、
前記ケースの内側に配置されたスピーカー要素とを備えていることを特徴とする請求項１記載のイヤハンガー付きインイヤ型イヤホン。
【請求項７】
前記ケースは少なくとも１つの音声用孔を備えていることを特徴とする請求項６記載のイヤハンガー付きインイヤ型イヤホン。
【請求項８】
信号伝送線をさらに備え、前記ケースが出口孔を有し、前記出口孔を通過する前記信号伝送線の一端部が前記スピーカー要素に電気的に接続され、前記信号伝送線の他端部が音声入力口として機能していることを特徴とする請求項６記載のイヤハンガー付きインイヤ型イヤホン。
【請求項９】
信号伝送線をさらに備え、前記信号伝送線の一端部は前記イヤホン本体に電気的に接続され、前記信号伝送線の他端部は音声入力口として機能していることを特徴とする請求項１記載のイヤハンガー付きインイヤ型イヤホン。
【請求項１０】
前記イヤホン本体は、前記ガイド部分の両側にそれぞれ配置された音声出力側およびホルダー側を備え、前記ホルダー側は、第１の方向に第１の幅と、前記第１方向に垂直な第２の方向に第２の幅とを有し、前記第１の幅は前記スライド溝の幅より広く、前記第２の幅は前記スライド溝の幅よりも狭いことを特徴とする請求項１記載のイヤハンガー付きインイヤ型イヤホン。
【請求項１１】
前記スライド溝の端部は取外し孔であり、前記イヤホン本体は前記取外し孔を介して前記ホルダーから取り外されるのに適していることを特徴とする請求項１記載のイヤハンガー付きインイヤ型イヤホン。
【請求項１２】
前記ガイド部分は曲線形状に形成されていることを特徴とする請求項１記載のイヤハンガー付きインイヤ型イヤホン。
【発明の詳細な説明】
【技術分野】
【０００１】
本発明はイヤホン、さらに詳細には、イヤハンガー付きインイヤ型イヤホンに関する。
【背景技術】
【０００２】
新技術の絶え間ない発展に伴い、電子製品はより軽く、より薄く、より短く、より小さくなるように設計され、それにより、ユーザはいつでも、どこにおいてもＦＭラジオまたはウォークマンなどの電子製品を使用できる。さらに、ＭＰ３ウォークマン、携帯電話、ＰＤＡ（携帯情報端末）、およびラップトップ（別名ノートブック）コンピュータなどのパーソナルディジタル製品は、幅広く受け入れられ、日常生活でのお決まりの装置になっている。さらに、ＦＭラジオ機能およびＭＰ３プレイヤー機能の両方をサポートする新しい携帯電話もまた現在の市場で市販されている。
【０００３】
あらゆる種類の電子製品に対して、他人を妨害することなく電子製品により提供される音声情報をユーザが明瞭に聞き取りできるように、イヤホンは電子製品にとって不可避な付属品となっている。これに加えて、イヤホンはユーザに対して優れた音声伝達リンクを提供し、ユーザは音声の内容を明瞭に聞き取り理解できるようになり、これにより、空中に伝播される不明瞭な音声の問題を解消する。ユーザがスポーツ、ドライブ、激しい活動などのような運動中、または雑音の多い環境下にいるとき、ユーザは雑音の多い環境に影響されずに明瞭に音声を聞くことができる。
【０００４】
イヤホンをユーザの耳内に置いて固定するインイヤ型イヤホンは、最も普及しているイヤホンになっている。しかしながら、ユーザの耳にイヤホンを固定する  そのような方法では、イヤホンの信号伝送線は体の運動または無意識の動作により容易に引き抜かれ、それにより、イヤホンは容易に耳の穴から脱落し、その結果、耳に違和感を与え、イヤホンを傷つけることもある。したがって、他の従来のインイヤ型イヤホンでは、イヤハンガーをイヤホンにさらに配置して、イヤホンの固定状態を増大させている。
【０００５】
図１は、米国特許第５，７２９，６１５号に開示されたインイヤ型イヤホンの図を概略的に示している。図１を参照すると、イヤハンガー付きインイヤ型イヤホンは、インイヤ型スピーカー要素２８、スライド丸シャフト３０、スライドスリーブ３２、イヤハンガー４２、ケーブル４０、およびプラグ４３を備えている。スライド丸シャフト３０はインイヤ型スピーカー要素２８に連結され、スライドスリーブ３２は、スライド丸シャフト３０に連結された筒（マフ）である。そのような構造では、インイヤ型スピーカー要素２８は、スライド丸シャフト３０を上下に摺動しその回りを自由に回転し、さまざまな耳形状に適応できるようにしている。しかしながら、イヤハンガー４２とスライドスリーブ３２との接続部はかなり弱く簡単に傷つけられ、スライド丸シャフト３０は容易に破壊される。
【発明の開示】
【発明が解決しようとする課題】
【０００６】
したがって、本発明の目的は、ユーザのさまざまな耳形状に適合するように調節するのに適したイヤハンガー付きインイヤ型イヤホンを提供し、心地良い感じを伴った最適な音声品質をイヤホンが提供できるようにすることである。
【課題を解決するための手段】
【０００７】
本発明はイヤハンガー付きインイヤ型イヤホンを提供する。インイヤ型イヤホンは、ホルダー、イヤホン本体、およびイヤハンガーを備えている。ホルダーはスライド溝を備えたガイド部分を有し、イヤホン本体はスライド溝に摺動自在に組み付けられ、イヤハンガーはホルダーに接続される。
【０００８】
イヤハンガー付きインイヤ型イヤホンでは、ホルダーはさらにピボット部分を含んでも良く、イヤハンガーはホルダーのピボット部分に枢着している。さらに、イヤハンガーはピボットの軸に沿って摺動するのに適していても良い。
【０００９】
イヤハンガー付きインイヤ型イヤホンでは、イヤホン本体はケースおよびスピーカー要素を備えていても良い。ケースはスライド溝に摺動自在に組み付けられ、スピーカー要素はケースの内部に配置される。さらに、ケースは少なくとも１つの孔を有していても良い。その上、インイヤ型イヤホンは信号伝送線をさらに備えていても良く、ケースは出口孔を有する。出口孔を通過する信号伝送線の一端部はスピーカー要素に電気的に接続され、信号伝送線の他端部は音声入力口として機能する。
【００１０】
イヤハンガー付きインイヤ型イヤホンでは、イヤホン本体は、ガイド部分の両側にそれぞれ配置された音声出力側とホルダー側とを備えていても良い。ホルダー側は第の１方向に第１の幅と、第１の方向に垂直な第２の方向に第２の幅とを有する。ここでは、第１の幅はガイド部分の幅より広く、第２の幅はガイド部分の幅より狭い。あるいは、ガイド部分の端部は取外し孔であっても良く、イヤホン本体は取外し孔を通してホルダーから取り外されるのに適している。
【００１１】
イヤハンガー付きインイヤ型イヤホンでは、イヤハンガーはホルダーに摺動自在に接続される。さらに、インイヤ型イヤホンは、イヤホン本体の音声出力側を覆うイヤパッドを備えていても良い。その上、インイヤ型イヤホンは信号伝送線を備えていても良い。信号伝送線の一端部はイヤホン本体に電気的に接続され、信号伝送線の他端部は音声の入力口として機能する。さらに、ガイド部分は曲線形状に形成されていても良い。
【００１２】
以上をまとめると、本発明によって提供されるイヤハンガー付きインイヤ型イヤホンでは、イヤホン本体とホルダーとの間の連結が摺動するように設計されているので、イヤホン本体の位置はユーザの耳形状に適応するように調節可能であり、そのためイヤホンは心地良い感じを伴った最適な音声品質を提供できるようになる。さらに、本発明によって提供されるイヤハンガー付きインイヤ型イヤホンは、優れた構造的強度の利点を有し、損傷を受けにくい。
【００１３】
添付図面は、本発明のさらなる理解を提供するために含まれており、本明細書に組み込まれその一部を構成している。図面は本発明の実施の形態を示し、その記載と併せて本発明の原理の説明に役立っている。
【発明を実施するための最良の形態】
【００１４】
図２は本発明の一実施の形態によるイヤハンガー付きインイヤ型イヤホンの概略的な立体図である。図３は図２に示されたインイヤ型イヤホンの正面図である。図４は図２に示されたインイヤ型イヤホンの側面図である。
【００１５】
図２〜図４を参照すると、イヤハンガー付きインイヤ型イヤホン２００は、ホルダー２１０、イヤホン本体２２０、およびイヤハンガー２３０からなる。そこにおいて、ホルダー２１０はガイド部分２１２を有し、イヤホン本体２２０はホルダー２１０のガイド部分２１２に摺動自在に組み付けられ、イヤハンガー２３０はホルダー２１０に接続されている。本発明では、スライド溝Ｇ１０を備えたガイド部分２１２はＵ形状に形成され、イヤホン本体２２０はスライド溝Ｇ１０に摺動自在に組み付けられている。さらに、人間工学的基準を満たすために、本実施の形態のガイド部分２１２は曲線形状として設計されても良い。代替として、ガイド部分２１２はプレートパネルとしても設計可能である。もちろん、イヤホン本体２２０がガイド部分２１２の中に摺動できるかぎり、さまざまな設計がイヤホン本体２２０とガイド部分２１２との間の連結に適用できることは、当業者にとって明白である。
【００１６】
さらに、イヤホン本体２２０はガイド部分２１２の中に方向Ｄ１０に沿って摺動するので（図３を参照）、ユーザは自分の耳にインイヤ型イヤホン２００を掛けると、ホルダー２１０上のイヤホン本体２２０の位置はユーザの耳形状に適応するように調節可能であり、そのためイヤホン本体２２０はユーザの耳穴に適切に配置可能となり、ユーザは心地良い感じを伴った最適な音声品質を楽しむことができる。
【００１７】
加えて、ホルダー２１０はピボット部分２１６を備えていても良く、イヤハンガー２３０はホルダー２１０のピボット部分２１６に枢着している。したがって、イヤハンガー２３０は、ホルダー２１０のピボット部分２１６の軸Ａ１０に枢着する（図２を参照）。このような設計では、イヤホン本体２２０はユーザの耳の奥深くに配置され、そのため、外部騒音の干渉が取り除かれ、音声品質が向上される。イヤハンガー２３０がピボット部分２１６に枢着すると、構造設計を変更することにより実際の要求に応じて回転角度を制限できる。その上、弾性部分（図示せず）または別の部分が、イヤハンガー２３０に適切な回転弾性を提供できるように、イヤハンガー２３０とピボット部分２１６との間にさらに配置されても良い。
【００１８】
さらに、イヤハンガー２３０は摺動自在にホルダー２１０に接続されている。言い換えると、イヤハンガー２３０とホルダー２１０との間の連結がスライド方式で設計されても良く、イヤハンガー２３０がガイド部分２１２上で方向Ｄ２０に沿って摺動可能になる（図３を参照）。したがって、インイヤ型イヤホン２００は、ユーザによって自分の耳の大きさに適応するように調節可能となり、心地良い感じを伴った最適な音声品質を得ることができるようにしている。ホルダー２１０がピボット部分２１６を有するとき、イヤハンガー２３０のスライド方向はピボット部分２１６の軸Ａ１０と同一であっても良い。
【００１９】
本実施の形態では、イヤホン本体２２０はケース２２２およびスピーカー要素（点線で図４に図示）２２４を備えていても良い。ケース２２２はホルダー２１０のガイド部分２１２に摺動自在に配置され、スピーカー要素２２４はケース２２２の内部に配置される。さらに、ケース２２２は、スピーカー要素２２４の音声領域を調節するための１つまたは複数の音声用孔２２６から構成されるように必要に応じて設計されても良く、優れた音声品質を提供できるようにしている。その上、インイヤ型イヤホン２００がワイヤ式で設計される場合には、インイヤ型イヤホン２００はさらに信号伝送線２４０を備えていても良く、ケース２２２は出口孔２２８を有する。ここでは、出口孔２２８を通過する信号伝送線２４０の一端部はスピーカー要素２２４と電気的に接続され、信号伝送線２４０の他端部は音声入力口２４２として機能する。音声入力口２４２は、音声信号を受信するための携帯電話、ステレオ装置、およびＭＰ３プレイヤーなどのようなさまざまな音声発生源装置と接続するように設けられている。もちろん、インイヤ型イヤホン２００はワイヤレス式であるように設計されても良い。このような場合には、音声信号は無線方式で受信される。
【００２０】
また、インイヤ型イヤホン２００はイヤパッド２５０をさらに備えていても良い。イヤパッド２５０はイヤホン本体２２０の音声出力側を覆い、ユーザはイヤホンを掛けたときにより快適に感じることができる。イヤパッド２５０は、ゴム、シリカゲル、およびスポンジなどのようなさまざまな軟質材料から作られても良い。
【００２１】
加えて、イヤホン本体２２０とホルダー２１０との間の連結は着脱可能として設計されても良い。図５は、本発明の他の実施の形態によるイヤハンガー付きインイヤ型イヤホンの正面図である。図５を参照すると、本実施の形態では、イヤホン本体５２０は、ガイド部分５１２の両側にそれぞれ配置された音声出力側５２４とホルダー側５２２とを有する。ホルダー側５２２はＸ方向に第１の幅Ｗ１０と、Ｘ方向に垂直なＹ方向に第２の幅Ｗ２０とを有する。第１の幅Ｗ１０はスライド溝Ｇ５０の幅Ｗ３０より広く、第２の幅Ｗ２０はスライド溝Ｇ５０の幅Ｗ３０より狭い。したがって、イヤホン本体５２０が、図５に示されている一定の傾斜角とともにスライド溝Ｇ５０の中で摺動すると、イヤホン本体５２０はスライド溝Ｇ５０内に置かれて固定される。さらに、イヤホン本体５２０が９０度回転すると、イヤホン本体５２０の第２の幅Ｗ２０はスライド溝Ｇ５０の幅Ｗ３０より狭いため、イヤホン本体５２０はホルダー５１０から取り外し可能になり、イヤホン本体５２０は単独で使用可能になる。
【００２２】
図６は、本発明のさらに他の実施の形態によるイヤハンガー付きインイヤ型イヤホンの正面図である。図６を参照すると、本実施の形態では、インイヤ型イヤホン６００は図２に示されているインイヤ型イヤホン２００と類似している。インイヤ型イヤホン２００と６００の違いは、取外し孔Ｈ１０がスライド溝Ｇ６０の端部に設計されていること、および、取外し孔Ｈ１０の大きさがイヤホン本体６２０の端部より大きいことであり、イヤホン本体６２０が取外し孔Ｈ１０を介してホルダー６１０から取り外し可能になっていることである。これとは別に、さらに、取り外し孔Ｈ１０は特別に設計可能であり、ホルダー６１０から取り外されるためにイヤホン本体６２０が一定の角度だけ傾斜する必要があるようになっている。このような設計では、イヤホン本体６２０はホルダー６１０から容易に取り外されない。添付図面を参照した後に、当業者は、取外し孔Ｈ１０の設計を容易に理解できるはずであり、したがってその詳細はここでは省略される。さらに、このような設計では、ユーザはホルダー６１０からイヤホン本体６２０を容易に取り外しでき、イヤホン本体６２０を単独で使用でき、それにより、インイヤ型イヤホン６００の機敏さ（アジリティ）がさらに向上される。もちろん、上記の実施の形態は、本発明を説明するためにここで例示されたものであり、イヤホン本体６２０は、実際の要求に従ってさまざまな設計を持つホルダー６１０から取り外されても良い。
【００２３】
なお、上記実施の形態のそれぞれの図面は片側イヤホンであるが、両側イヤホンもまた本発明に適用可能である。
【００２４】
以上をまとめると、本発明によって提供されるイヤハンガー付きインイヤ型イヤホンでは、イヤホン本体とホルダーとの間の連結はスライド方式で設計されており、したがって、ユーザは、自分の耳形状に応じてイヤホン本体の位置を調整して、心地良い感じを伴った最適な音声品質を得ることができる。加えて、ピボット型設計および／またはスライド型設計もまたイヤハンガーとホルダーとの間の連結に適用可能である。さらに、着脱自在型設計がイヤホン本体とホルダーとの間の連結に適用されても良い。このような設計によれば、本発明によって提供されるイヤハンガー付きインイヤ型イヤホンは、心地良い感じを伴った最適な音声品質を提供するとともにさまざまな方向にもっと調節可能な空間を提供するために、ユーザの耳形状に適合するのにより適し、ユーザの利便性を向上させるようにしている。さらに、本発明によって提供されるイヤハンガー付きインイヤ型イヤホンは、優れた構造的強度の利点を有し、損傷を受けにくい。
【００２５】
本発明は特定の実施の形態を参照して説明されているが、説明された実施の形態への変更が本発明の趣旨から逸脱することなくなされ得ることは当業者にとって明白である。したがって、本発明の範囲は、上記の詳細な説明ではなく添付の特許請求の範囲により定義されるものである。
【図面の簡単な説明】
【００２６】
【図１】従来のイヤハンガー付きインイヤ型イヤホンの概略図である。
【図２】本発明の一実施の形態によるイヤハンガー付きインイヤ型イヤホンの概略的な立体図である。
【図３】図２に示されたインイヤ型イヤホンの正面図である。
【図４】図２に示されたインイヤ型イヤホンの側面図である。
【図５】本発明の他の実施の形態によるイヤハンガー付きインイヤ型イヤホンの正面図である。
【図６】本発明のさらに他の実施の形態によるイヤハンガー付きインイヤ型イヤホンの正面図である。
【図１】
2007135175.tif 000003
【図２】
2007135175.tif 000004
【図３】
2007135175.tif 000005
【図４】
2007135175.tif 000006
【図５】
2007135175.tif 000007
【図６】
2007135175.tif 000008